(57)【要約】【課題】携帯装置の防水性能の低下の有無および防水性能の低下の原因を携帯装置のユーザに通知することを可能とする携帯装置、防水性能通知方法およびプログラムを提供する。【解決手段】部材検出センサ１８は、気密性に関する部材が携帯装置１に隙間無く装着されているか否かを検出する。防水性能判定部１２は、部材検出センサ１８の検出結果に基づき携帯装置１の防水性能の低下の有無を判定し、防水性能低下情報を生成し、通知部１３に送る。経年劣化判定部１４は、履歴記憶部１５に格納されている携帯装置１の使用に関する情報の履歴データに基づき気密性に関する部材の経年劣化の有無を判定し、経年劣化情報を生成し、通知部１３に送る。通知部１３は、防水性能判定部１２から送られた防水性能低下情報および経年劣化判定部１４から送られた経年劣化情報に基づき防水性能通知情報を生成し、携帯装置１のユーザが内容を認識できる形で通知する。【選択図】図８
2012225715.tif 000002
【特許請求の範囲】
【請求項１】
携帯装置の気密性を表す物理量を含む防水性能に関する情報を検出する防水性能情報検出手段と、
前記防水性能情報検出手段において検出した前記携帯装置の防水性能に関する情報に基づき所定の判定基準で、前記携帯装置の防水性能の低下の有無を判定する防水性能低下判定手段と、
前記携帯装置の使用に関する情報を取得し、前記使用に関する情報を履歴として記憶する記憶手段と、
前記履歴に基づき所定の判定基準で、気密性に関する部材の経年劣化の有無を判定する経年劣化判定手段と、
前記防水性能低下判定手段により判定された前記携帯装置の防水性能の低下の有無、および前記経年劣化判定手段により判定された前記気密性に関する部材の経年劣化の有無に基づく防水性能通知情報を前記携帯装置のユーザに通知する通知手段と、
を備えることを特徴とする携帯装置。
【請求項２】
前記携帯装置の内部方向に押下される操作部をさらに備え、
前記防水性能情報検出手段は、前記携帯装置内部に設けられた気圧センサを含み、前記操作部が押下されているときの前記携帯装置内部の気圧および前記操作部が押下されていないときの前記携帯装置内部の気圧を検出し、
前記防水性能低下判定手段は、前記防水性能情報検出手段において検出した前記操作部が押下されているときの前記携帯装置内部の気圧および前記操作部が押下されていないときの前記携帯装置内部の気圧の差分を算出し、前記差分が、予め設定された気圧変化量の所定の範囲を逸脱している場合には、前記携帯装置の防水性能が低下していると判定する、
ことを特徴とする請求項１に記載の携帯装置。
【請求項３】
前記携帯装置が充電機器に設置されていることを検出する充電機器設置状態検出手段をさらに備え、
前記防水性能情報検出手段は、前記携帯装置内部に設けられた気圧センサを含み、前記携帯装置が充電機器に設置されているときの前記携帯装置内部の気圧を検出し、
前記防水性能低下判定手段は、前記防水性能情報検出手段において検出した前記携帯装置が充電機器に設置されているときの前記携帯装置内部の気圧が、予め設定された気圧の所定の範囲を逸脱している場合には、前記携帯装置の防水性能が低下していると判定する、
ことを特徴とする請求項１または２に記載の携帯装置。
【請求項４】
前記防水性能情報検出手段は、気密性に関する部材が前記携帯装置に隙間無く装着されているか否かを検出し、
前記防水性能低下判定手段は、前記防水性能情報検出手段において前記気密性に関する部材が前記携帯装置に隙間無く装着されていないことを検出した場合には、前記携帯装置の防水性能が低下していると判定する、
ことを特徴とする請求項１ないし３のいずれか１項に記載の携帯装置。
【請求項５】
前記防水性能情報検出手段は、前記携帯装置内部に設けられた光センサを含み、前記携帯装置内部の光量を検出し、
前記防水性能低下判定手段は、前記防水性能情報検出手段において検出した前記携帯装置内部の光量が、予め設定された光量の所定の範囲を逸脱している場合には、前記携帯装置の防水性能が低下していると判定する、
ことを特徴とする請求項１ないし４のいずれか１項に記載の携帯装置。
【請求項６】
所定の位置から変位させることにより操作を行う変位操作部を備え、
前記防水性能情報検出手段は、前記携帯装置内部に設けられた光センサを含み、前記変位操作部が変位しているときの前記携帯装置内部の光量および前記変位操作部が変位していないときの前記携帯装置内部の光量を検出し、
前記防水性能低下判定手段は、前記防水性能情報検出手段において検出した前記変位操作部が変位しているときの前記携帯装置内部の光量および前記変位操作部が変位していないときの前記携帯装置内部の光量の差分を算出し、前記差分が、予め設定された光量変化量の所定の範囲を逸脱している場合には、前記携帯装置の防水性能が低下していると判定する、
ことを特徴とする請求項１ないし５のいずれか１項に記載の携帯装置。
【請求項７】
前記携帯装置内部に光源をさらに備え、
前記防水性能情報検出手段は、前記携帯装置外部に設けられた光センサを含み、前記光源が発光しているときの前記携帯装置外部における前記光源からの光量および前記光源が発光していないときの前記携帯装置外部における前記光源からの光量を検出し、
前記防水性能低下判定手段は、前記防水性能情報検出手段において検出した前記光源が発光しているときの前記携帯装置外部における前記光源からの光量および前記光源が発光していないときの前記携帯装置外部における前記光源からの光量の差分を算出し、前記差分が、予め設定された光量変化量の所定の範囲を逸脱している場合には、前記携帯装置の防水性能が低下していると判定する、
ことを特徴とする請求項１ないし６のいずれか１項に記載の携帯装置。
【請求項８】
携帯装置が行う防水性能通知方法であって、
前記携帯装置の気密性を表す物理量を含む防水性能に関する情報を検出する防水性能情報検出ステップと、
前記防水性能情報検出ステップにおいて検出した前記携帯装置の防水性能に関する情報に基づき所定の判定基準で、前記携帯装置の防水性能の低下の有無を判定する防水性能低下判定ステップと、
前記携帯装置の使用に関する情報を取得し、前記使用に関する情報を履歴として記憶する記憶ステップと、
前記履歴に基づき所定の判定基準で、気密性に関する部材の経年劣化の有無を判定する経年劣化判定ステップと、
前記防水性能低下判定ステップにおいて判定した前記携帯装置の防水性能の低下の有無、および前記経年劣化判定ステップにおいて判定した前記気密性に関する部材の経年劣化の有無に基づく防水性能通知情報を前記携帯装置のユーザに通知する通知ステップと、
を備えることを特徴とする防水性能通知方法。
【請求項９】
前記防水性能情報検出ステップは、前記携帯装置内部に設けられた気圧センサによって、前記携帯装置の内部方向に押下される操作部が押下されているときの前記携帯装置内部の気圧および前記操作部が押下されていないときの前記携帯装置内部の気圧を検出し、
前記防水性能低下判定ステップは、前記防水性能情報検出ステップにおいて検出した前記操作部が押下されているときの前記携帯装置内部の気圧および前記操作部が押下されていないときの前記携帯装置内部の気圧の差分を算出し、前記差分が、予め設定された気圧変化量の所定の範囲を逸脱している場合には、前記携帯装置の防水性能が低下していると判定する、
ことを特徴とする請求項８に記載の防水性能通知方法。
【請求項１０】
コンピュータに、
携帯装置の気密性を表す物理量を含む防水性能に関する情報を検出する防水性能情報検出ステップと、
前記防水性能情報検出ステップにおいて検出した前記携帯装置の防水性能に関する情報に基づき所定の判定基準で、前記携帯装置の防水性能の低下の有無を判定する防水性能低下判定ステップと、
前記携帯装置の使用に関する情報を取得し、前記使用に関する情報を履歴として記憶する記憶ステップと、
前記履歴に基づき所定の判定基準で、気密性に関する部材の経年劣化の有無を判定する経年劣化判定ステップと、
前記防水性能低下判定ステップにおいて判定した前記携帯装置の防水性能の低下の有無、および前記経年劣化判定ステップにおいて判定した前記気密性に関する部材の経年劣化の有無に基づく防水性能通知情報を前記携帯装置のユーザに通知する通知ステップと、
を実行させることを特徴とするプログラム。
【発明の詳細な説明】
【技術分野】
【０００１】
本発明は、携帯装置、防水性能通知方法およびプログラムに関する。
【背景技術】
【０００２】
ユーザが持ち運び使用する携帯装置に対する防水化のニーズが高まっており、防水性能を有する携帯装置が多く開発されている。しかし、他の装置との接続や利便性を担保するため、多くの携帯装置は、接続端子を備え、電池交換の際には携帯装置の一部が容易に開閉できる構造を備えている。そこで、携帯装置の防水性能を低下させないために、気密性に関する部材、例えば接続端子用の防水キャップ、防水電池カバー、などが携帯装置に装着されている。
【０００３】
防水性能を有する携帯装置の中には、防水性能が低下している場合には、防水性能が低下している旨を携帯装置のユーザに通知する機能を備えるものがある。
【０００４】
特許文献１は、防水機器の防水性能検査方法、システムおよび防水機器に関するものである。この防水機器は、防水機器筐体外部の気圧変化に対する防水機器筐体内部の気圧変化量を測定する。測定した防水機器筐体外部の気圧変化に対する防水機器筐体内部の気圧変化量が、予め設定された気圧変化量以下か否かに基づき、防水機器の防水性能が正常かどうかを判定する。そして、その判定結果を防水機器の画面に表示する。
【０００５】
特許文献２は、防水性能が維持されているか否かを確認することができる携帯電子機器に関するものである。この携帯電子機器は、フロントケースとリアケースの間の接合部分の電気特性を検出する。検出されたフロントケースとリアケースの間の接合部分の電気特性に基づき、防水性能が低下しているか否かを判定する。そして、その判定結果を携帯電子機器の画面に表示する。
【先行技術文献】
【特許文献】
【０００６】
【特許文献１】特開２００９−１２１９６５号公報
【特許文献２】特開２０１０−０１１２４１号公報
【発明の概要】
【発明が解決しようとする課題】
【０００７】
携帯装置の防水性能の低下が生じる原因としては、気密性に関する部材が携帯装置に隙間無く装着されていないこと、気密性に関する部材が経年劣化していること、などがあげられる。
【０００８】
特許文献１または２の技術では、防水性能の低下の有無を携帯装置のユーザに通知することはできるが、防水性能の低下の原因をユーザに通知することはできない。
【０００９】
本発明は、上述のような事情に鑑みてなされたもので、防水性能の低下の有無だけでなく、防水性能の低下の原因についても、ユーザに通知することを可能とする携帯装置、防水性能通知方法およびプログラムを提供することを目的とする。
【課題を解決するための手段】
【００１０】
本発明の第１の観点に係る携帯装置は、
前記携帯装置の気密性を表す物理量を含む防水性能に関する情報を検出する防水性能情報検出手段と、
前記防水性能情報検出手段において検出した前記携帯装置の防水性能に関する情報に基づき所定の判定基準で、前記携帯装置の防水性能の低下の有無を判定する防水性能低下判定手段と、
前記携帯装置の使用に関する情報を取得し、前記使用に関する情報を履歴として記憶する記憶手段と、
前記履歴に基づき所定の判定基準で、気密性に関する部材の経年劣化の有無を判定する経年劣化判定手段と、
前記防水性能低下判定手段において判定した前記携帯装置の防水性能の低下の有無、および前記経年劣化判定手段において判定した前記気密性に関する部材の経年劣化の有無に基づく防水性能通知情報を前記携帯装置のユーザに通知する通知手段と、
を備えることを特徴とする。
【００１１】
本発明の第２の観点に係る防水性能通知方法は、
携帯装置が行う防水性能通知方法であって、
前記携帯装置の気密性を表す物理量を含む防水性能に関する情報を検出する防水性能情報検出ステップと、
前記防水性能情報検出ステップにおいて検出した前記携帯装置の防水性能に関する情報に基づき所定の判定基準で、前記携帯装置の防水性能の低下の有無を判定する防水性能低下判定ステップと、
前記携帯装置の使用に関する情報を取得し、前記使用に関する情報を履歴として記憶する記憶ステップと、
前記履歴に基づき所定の判定基準で、気密性に関する部材の経年劣化の有無を判定する経年劣化判定ステップと、
前記防水性能低下判定ステップにおいて判定した前記携帯装置の防水性能の低下の有無、および前記経年劣化判定ステップにおいて判定した前記気密性に関する部材の経年劣化の有無に基づく防水性能通知情報を前記携帯装置のユーザに通知する通知ステップと、
を備えることを特徴とする。
【００１２】
本発明の第３の観点に係るプログラムは、コンピュータに、
携帯装置の気密性を表す物理量を含む防水性能に関する情報を検出する防水性能情報検出ステップと、
前記防水性能情報検出ステップにおいて検出した前記携帯装置の防水性能に関する情報に基づき所定の判定基準で、前記携帯装置の防水性能の低下の有無を判定する防水性能低下判定ステップと、
前記携帯装置の使用に関する情報を取得し、前記使用に関する情報を履歴として記憶する記憶ステップと、
前記履歴に基づき所定の判定基準で、気密性に関する部材の経年劣化の有無を判定する経年劣化判定ステップと、
前記防水性能低下判定ステップにおいて判定した前記携帯装置の防水性能の低下の有無、および前記経年劣化判定ステップにおいて判定した前記気密性に関する部材の経年劣化の有無に基づく防水性能通知情報を前記携帯装置のユーザに通知する通知ステップと、
を実行させることを特徴とする。
【発明の効果】
【００１３】
本発明によれば、防水性能の低下の有無および気密性に関する部材の経年劣化の有無を判定し、防水性能の低下の有無だけでなく、防水性能の低下の原因についてもユーザに通知することが可能となる。
【図面の簡単な説明】
【００１４】
【図１】本発明の実施の形態１に係る携帯装置の構成例を示すブロック図である。
【図２】使用に関する情報の履歴データの一例を示す図である。
【図３】防水性能低下判定、経年劣化判定、および防水性能通知の動作の一例を示すフローチャートである。
【図４】実施の形態１に係る防水性能低下判定の動作の一例を示すフローチャートである。
【図５】経年劣化判定の動作の一例を示すフローチャートである。
【図６】実施の形態１に係る携帯装置の異なる構成例を示すブロック図である。
【図７】実施の形態１に係る防水性能低下判定の動作の他の一例を示すフローチャートである。
【図８】本発明の実施の形態２に係る携帯装置の構成例を示すブロック図である。
【図９】実施の形態２に係る防水性能低下判定の動作の一例を示すフローチャートである。
【図１０】本発明の実施の形態３に係る携帯装置の構成例を示すブロック図である。
【図１１】実施の形態３に係る携帯装置の異なる構成例を示すブロック図である。
【図１２】実施の形態３に係る防水性能低下判定の動作の一例を示すフローチャートである。
【図１３】実施の形態３に係る防水性能低下判定の動作の他の一例を示すフローチャートである。
【図１４】実施の形態３に係る防水性能低下判定の動作の他の一例を示すフローチャートである。
【図１５】本発明の実施の形態に係る携帯装置の物理的な構成例を示すブロック図である。
【発明を実施するための形態】
【００１５】
以下、本発明の実施の形態について図面を参照して詳細に説明する。なお図中、同一ま
たは同等の部分には同一の符号を付す。
【００１６】
（実施の形態１）
図１は、本発明の実施の形態１に係る携帯装置の構成例を示すブロック図である。図１の携帯装置１は、気圧センサ１１、防水性能判定部１２、通知部１３、経年劣化判定部１４、履歴記憶部１５および操作部１６を備える。
【００１７】
本実施の形態においては、防水性能情報検出手段として気圧センサ１１を用い、気密性を表す物理量を含む防水性能に関する情報として、携帯装置１の内部の気圧を測定する。
【００１８】
操作部１６は、携帯装置１の内部方向に押下される構造を備え、操作部が押下されているか否かを検出する。
【００１９】
防水性能判定部１２は、気圧センサ１１が測定した測定結果に基づき防水性能の低下の有無を判定し、防水性能低下情報を生成するための判定式を保持している。
【００２０】
気圧センサ１１は、操作部１６が押下されているときおよび押下されていないときの携帯装置１の内部の気圧を測定する。防水性能判定部１２は、気圧センサ１１が測定した操作部１６が押下されているときおよび押下されていないときの携帯装置１の内部の気圧の差分を算出する。
【００２１】
操作部１６が押下されることにより、携帯装置１の内部の気圧は、操作部１６が押下されていないときに比べ、高くなる。携帯装置１の防水性能が低下しているときには、操作部１６が押下されていても、例えば、携帯装置１と気密性に関する部材との隙間から携帯装置１の内部の空気が携帯装置１の外部に漏れ出る。そのため、操作部１６が押下されているときの携帯装置１の内部の気圧は、携帯装置１の防水性能が低下しているときには、携帯装置１の防水性能が低下していないときに比べ、低くなる。
【００２２】
すなわち、操作部１６が押下されているときおよび押下されていないときの携帯装置１の内部の気圧の差分は、携帯装置１の防水性能が低下しているときには、携帯装置１の防水性能が低下していないときに比べ、小さくなる。その結果、操作部１６が押下されているときおよび押下されていないときの携帯装置１の内部の気圧の差分が、所定の値より小さいときには、携帯装置１の防水性能が低下していると判定することができる。
【００２３】
上述の例において、予め設定された気圧変化量の所定の範囲とは、予め設定された所定の値以上であることをいう。防水性能判定部１２は、操作部１６が押下されているときおよび押下されていないときの携帯装置１の内部の気圧の差分が所定の値以上である場合には、携帯装置１の防水性能は低下していないと判定し、携帯装置１の防水性能の低下が無い旨の防水性能低下情報を生成する。
【００２４】
防水性能判定部１２は、操作部１６が押下されているときおよび押下されていないときの携帯装置１の内部の気圧の差分が所定の値より小さい場合には、操作部１６が押下されているときおよび押下されていないときの携帯装置１の内部の気圧の差分が、予め設定された気圧変化量の所定の範囲を逸脱しているため、携帯装置１の防水性能は低下していると判定し、携帯装置１の防水性能の低下が有る旨の防水性能低下情報を生成する。
【００２５】
防水性能判定部１２は、生成した防水性能低下情報を通知部１３に送る。
【００２６】
履歴記憶部１５は、携帯装置１の使用に関する情報を取得し、履歴として記憶する。使用に関する情報としては、例えば、携帯装置１の使用期間、携帯装置１の連続使用時間、携帯装置１の開閉回数、携帯装置１の充電回数、付属品の着脱回数、気密性に関する部材の着脱回数、気密性に関する部材の使用期間などがあげられる。
【００２７】
図２は、使用に関する情報の履歴データの一例である。使用に関する情報の各項目について、上限値が予め設定され、各項目の現在値が記憶されている。上限値は、例えば耐用時間または耐用回数である。例えば、防水キャップの着脱回数の現在値が上限値を超えた場合には、防水キャップが経年劣化していると判定することができる。耐用時間または耐用回数のように、累積して増加するだけの値の場合は、下限値はなくともよい。一方、例えば、気密性に関する部材が摩耗によって薄くなっていく場合には、下限値を設定し、下限値を下回った場合には、気密性に関する部材が経年劣化していると判定するよう構成してもよい。
【００２８】
経年劣化判定部１４は、履歴記憶部１５に格納されている携帯装置１の使用に関する情報の履歴データに基づき経年劣化の有無を判定し、経年劣化情報を生成するための判定式を保持している。
【００２９】
経年劣化判定部１４は、履歴記憶部１５に格納されている携帯装置１の使用に関する情報の履歴データを読み込み、携帯装置１の使用に関する情報の各項目の値が所定の範囲内か否かを判定する。例えば、携帯装置１の使用期間が予め設定された上限値以下であるか否か、携帯装置１の連続使用時間が予め設定された上限値以下であるか否か、携帯装置１の開閉回数が予め設定された上限値以下であるか否か、携帯装置１の充電回数が予め設定された上限値以下であるか否か、イヤホンの着脱回数が予め設定された上限値以下であるか否か、防水キャップの着脱回数が予め設定された上限値以下であるか否か、防水キャップの使用期間が予め設定された上限値以下であるか否かを判定する。
【００３０】
経年劣化判定部１４は、携帯装置１の使用に関する情報の全ての項目の値が所定の範囲内である場合には、気密性に関する部材が経年劣化していないと判定し、気密性に関する部材が経年劣化していない旨の経年劣化情報を生成する。携帯装置１の使用に関する情報の項目のうちいずれか１つの項目において、携帯装置１の使用に関する情報の項目の値が予め設定された上限値より大きい場合には、気密性に関する部材が経年劣化していると判定し、気密性に関する部材が経年劣化している旨の経年劣化情報を生成する。
【００３１】
経年劣化判定部１４は、生成した経年劣化情報を通知部１３に送る。
【００３２】
なお、履歴記憶部１５に格納されている携帯装置１の使用に関する情報の履歴データのうち一部は、気密性に関する部材の経年劣化の有無の判定に影響を与えない場合も考えられる。その場合には、一部の携帯装置１の使用に関する情報の項目の値が、所定の範囲内であるか否かについての判定結果は、気密性に関する部材の経年劣化の有無の判定に影響を与えないよう構成してもよい。
【００３３】
例えば、上述の例において、携帯装置１の連続使用時間は気密性に関する部材の経年劣化の有無の判定に影響を与えないとみなす場合には、携帯装置１の連続使用時間以外の全項目において、携帯装置１の使用に関する情報の各項目の値が予め設定された上限値以下であれば、携帯装置１の連続使用時間が予め設定された上限値より大きくても、気密性に関する部材が経年劣化していないと判定するよう構成してもよい。
【００３４】
防水性能低下判定部１２における防水性能低下判定および経年劣化判定部１４における経年劣化判定の各処理は、並行して行うよう携帯装置１を構成してもよいし、防水性能低下判定部１２が防水性能低下判定をした後に経年劣化判定部１４が経年劣化判定を行うよう携帯装置１を構成してもよい。
【００３５】
携帯装置１の防水性能が低下していないのであれば、たとえ気密性に関する部材の経年劣化が有るとしても、携帯装置１の使用に問題はないとも考えられる。防水性能判定部１２が、携帯装置１の防水性能の低下が無いと判定した場合には、経年劣化判定部１４は気密性に関する部材の経年劣化の有無の判定を行わないよう携帯装置１を構成してもよい。
【００３６】
通知部１３は、防水性能判定部１２から送られた防水性能低下情報および経年劣化判定部１４から送られた経年劣化情報に基づき防水性能通知情報を生成し、携帯装置１のユーザが内容を認識できる形で通知する。通知は、画面表示、音声または振動のいずれか１つまたはこれらの組み合わせにより行う。
【００３７】
携帯装置１の防水性能の低下が無く、気密性に関する部材の経年劣化も無い場合には、通知部１３はユーザへの通知は行わない。
【００３８】
携帯装置１の防水性能の低下が無く、気密性に関する部材の経年劣化が有る場合には、通知部１３は、携帯装置１の防水性能は低下していないが気密性に関する部材が経年劣化している旨、および／または、気密性に関する部材の交換または修理が必要である旨をユーザに通知する。
【００３９】
防水性能判定部１２から送られた防水性能低下情報が携帯装置１の防水性能の低下が無いことを示している場合には、通知部１３は、経年劣化判定部１４から送られた経年劣化情報をユーザに通知しないよう構成してもよい。
【００４０】
携帯装置１の防水性能の低下は有るが、気密性に関する部材の経年劣化が無い場合には、通知部１３は、防水性能の低下は有るが気密性に関する部材の経年劣化は無い旨、および／または、気密性に関する部材が携帯装置１に隙間なく装着されているか確認するようユーザに通知する。
【００４１】
携帯装置１の防水性能の低下が有り、気密性に関する部材の経年劣化も有る場合には、通知部１３は、気密性に関する部材の経年劣化により携帯装置１の防水性能が低下している旨、および／または、気密性に関する部材の交換または修理が必要である旨をユーザに通知する。
【００４２】
図３は、防水性能低下判定、経年劣化判定、および防水性能通知の動作の一例を示すフローチャートである。
【００４３】
防水性能判定部１２は、携帯装置１の防水性能の低下の有無を判定する（ステップＳ０１）。防水性能低下判定処理の詳細については、図４を用いて説明する。
【００４４】
図４は、実施の形態１に係る防水性能低下判定の動作の一例を示すフローチャートである。図４は図１の携帯装置１の構成例に対応している。
【００４５】
操作部１６は、操作部１６が押下されているか否かを検出し（ステップＳ１１）、気圧センサ１１は、携帯装置１の内部の気圧を測定する（ステップＳ１２）。
【００４６】
防水性能判定部１２は、操作部１６が押下されているときおよび押下されていないときの携帯装置１の内部の気圧が測定された場合には（ステップＳ１３：ＹＥＳ）、操作部１６が押下されているときおよび押下されていないときの携帯装置１の内部の気圧の差分を算出する（ステップＳ１４）。操作部１６が押下されているときおよび押下されていないときの携帯装置１の内部の気圧が測定されていない場合には（ステップＳ１３：ＮＯ）、ステップＳ１１に戻って、操作部１６が押下されているか否かの検出から繰り返す。
【００４７】
防水性能判定部１２は、ステップＳ１４において算出した差分が、予め設定された気圧変化量の所定の値以上である場合には（ステップＳ１５：ＹＥＳ）、携帯装置１の防水性能は低下していないと判定し、携帯装置１の防水性能の低下が無い旨の防水性能低下情報を生成する（ステップＳ１６）。
【００４８】
防水性能判定部１２は、ステップＳ１４において算出した差分が、予め設定された気圧変化量の所定の値より小さい場合には（ステップＳ１５：ＮＯ）、携帯装置１の防水性能は低下していると判定し、携帯装置１の防水性能の低下が有る旨の防水性能低下情報を生成する（ステップＳ１７）。
【００４９】
防水性能判定部１２は、生成した防水性能低下情報を通知部１３に送る（ステップＳ１８）。
【００５０】
以上が、図３における防水性能低下判定処理（ステップＳ０１）の詳細である。再び図３を用いて、携帯装置１における防水性能低下判定、経年劣化判定、および防水性能通知の一連の動作について説明する。
【００５１】
経年劣化判定部１４は、気密性に関する部材の経年劣化の有無を判定する（ステップＳ０２）。経年劣化判定処理の詳細については、図５を用いて説明する。
【００５２】
図５は、経年劣化判定の動作の一例を示すフローチャートである。経年劣化判定部１４は、履歴記憶部１５から携帯装置１の使用に関する情報の履歴データを読み込む（ステップＳ３１）。
【００５３】
経年劣化判定部１４は、上述のように携帯装置１の使用に関する情報の各項目の値が予め設定された上限値以下であるか否かを判定する（ステップＳ３２〜ステップＳ３８）。ステップＳ３２〜ステップＳ３８の全てのステップにおいて、携帯装置１の使用に関する情報の各項目の値が予め設定された上限値以下である場合には（ステップＳ３２〜ステップＳ３８：ＹＥＳ）、気密性に関する部材が経年劣化していないと判定し、気密性に関する部材が経年劣化していない旨の経年劣化情報を生成する（ステップＳ３９）。
【００５４】
経年劣化判定部１４は、ステップＳ３２〜ステップＳ３８のいずれか１つのステップにおいて、携帯装置１の使用に関する情報の各項目の値が予め設定された上限値より大きい場合には、気密性に関する部材が経年劣化していると判定し、気密性に関する部材が経年劣化している旨の経年劣化情報を生成する（ステップＳ４０）。
【００５５】
経年劣化判定部１４は、生成した経年劣化情報を通知部１３に送る（ステップＳ４１）。
【００５６】
以上が、図３における経年劣化判定処理（ステップＳ０２）の詳細である。再び図３を用いて、携帯装置１における防水性能低下判定、経年劣化判定、および防水性能通知の一連の動作について説明する。
【００５７】
携帯装置１の防水性能の低下が無く（ステップＳ０３：ＮＯ）、気密性に関する部材の経年劣化も無い場合には（ステップＳ０４：ＮＯ）、通知部１３はユーザへの通知は行わない（ステップＳ０５）。
【００５８】
携帯装置１の防水性能の低下が無く（ステップＳ０３：ＮＯ）、気密性に関する部材の経年劣化が有る場合には（ステップＳ０４：ＹＥＳ）、通知部１３は携帯装置１の防水性能は低下していないが気密性に関する部材が経年劣化している旨、および／または、気密性に関する部材の交換または修理が必要である旨をユーザに通知する（ステップＳ０６）。
【００５９】
携帯装置１の防水性能の低下は有るが（ステップＳ０３：ＹＥＳ）、気密性に関する部材の経年劣化が無い場合には（ステップＳ０７：ＮＯ）、通知部１３は防水性能の低下は有るが気密性に関する部材の経年劣化は無い旨、および／または、気密性に関する部材が携帯装置１に隙間なく装着されているか確認するようユーザに通知する（ステップＳ０８）。
【００６０】
携帯装置１の防水性能の低下が有り（ステップＳ０３：ＹＥＳ）、気密性に関する部材の経年劣化も有る場合には（ステップＳ０７：ＹＥＳ）、通知部１３は気密性に関する部材の経年劣化により携帯装置１の防水性能が低下している旨、および／または、気密性に関する部材の交換または修理が必要である旨をユーザに通知する（ステップＳ０９）。
【００６１】
図６は、実施の形態１に係る携帯装置の異なる構成例を示すブロック図である。携帯装置１は、気圧センサ１１、防水性能判定部１２、通知部１３、経年劣化判定部１４、履歴記憶部１５および設置状態検出センサ１７を備える。気圧センサ１１、通知部１３、経年劣化判定部１４および履歴記憶部１５は、図１の構成と同じである。
【００６２】
設置状態検出センサ１７は、携帯装置１が充電機器に設置されているか否かを検出する。検出手段として、例えば、携帯装置１に設けられる圧力センサ、スイッチ、メカニカルスイッチ、抵抗膜、などがあげられる。
【００６３】
防水性能判定部１２は、気圧センサ１１が測定した測定結果に基づき防水性能の低下の有無を判定し、防水性能低下情報を生成するための判定式を保持している。
【００６４】
設置状態検出センサ１７は、携帯装置１が充電機器に設置されているか否かを検出する。携帯装置１が充電機器に設置されているときは、ユーザが携帯装置１を持っているときや操作しているときに比べ、より安定した状態で、携帯装置１の内部の気圧の測定および携帯装置１の防水性能の低下の有無の判定を行うことができる。防水性能判定部１２は、携帯装置１が充電機器に設置されていない場合には、防水性能低下判定処理を終了する。携帯装置１が充電機器に設置されている場合には、気圧センサ１１は、携帯装置１の内部の気圧を測定する。
【００６５】
携帯装置１の防水性能が低下しているときには、例えば、携帯装置１と気密性に関する部材との隙間から携帯装置１の内部の空気が携帯装置１の外部に漏れ出る。そのため、携帯装置１が充電機器に設置されているときの携帯装置１の内部の気圧は、携帯装置１の防水性能が低下しているときには、携帯装置１の防水性能が低下していないときに比べ、低くなる。その結果、携帯装置１が充電機器に設置されているときの携帯装置１の内部の気圧が所定の値より小さいときには、携帯装置１の防水性能が低下していると判定することができる。
【００６６】
上述の例において、予め設定された気圧の所定の範囲とは、予め設定された所定の値以上であることをいう。防水性能判定部１２は、気圧センサ１１が測定した携帯装置１が充電機器に設置されているときの携帯装置１の内部の気圧が、予め設定された気圧の所定の値以上である場合には、携帯装置１の防水性能は低下していないと判定し、携帯装置１の防水性能の低下が無い旨の防水性能低下情報を生成する。
【００６７】
防水性能判定部１２は、携帯装置１が充電機器に設置されているときの携帯装置１の内部の気圧が、予め設定された気圧の所定の値より小さい場合には、携帯装置１が充電機器に設置されているときの携帯装置１の内部の気圧が、予め設定された気圧の所定の範囲を逸脱しているため、携帯装置１の防水性能は低下していると判定し、携帯装置１の防水性能の低下が有る旨の防水性能低下情報を生成する。
【００６８】
防水性能判定部１２は、生成した防水性能低下情報を通知部１３に送る。  
【００６９】
図７は実施の形態１に係る防水性能低下判定の動作の他の一例を示すフローチャートである。図７は図４の変形例であり、防水性能低下判定処理（図３ステップＳ０１）の詳細である。図７は図６の携帯装置１の構成例に対応している。
【００７０】
設置状態検出センサ１７は、携帯装置１が充電機器に設置されているか否かを検出し（ステップＳ２１）、携帯装置１が充電機器に設置されていない場合には（ステップＳ２２：ＮＯ）、防水性能低下判定処理を終了する。携帯装置１が充電機器に設置されている場合には（ステップＳ２２：ＹＥＳ）、気圧センサ１１は、携帯装置１の内部の気圧を測定する（ステップＳ２３）。
【００７１】
防水性能判定部１２は、ステップＳ２３において気圧センサ１１が測定した測定結果が、予め設定された気圧の所定の値以上である場合には（ステップＳ２４：ＹＥＳ）、携帯装置１の防水性能は低下していないと判定し、携帯装置１の防水性能の低下が無い旨の防水性能低下情報を生成する（ステップＳ２５）。
【００７２】
防水性能判定部１２は、ステップＳ２３において気圧センサ１１が測定した測定結果が、予め設定された気圧の所定の値より小さい場合には（ステップＳ２４：ＮＯ）、携帯装置１の防水性能は低下していると判定し、携帯装置１の防水性能の低下が有る旨の防水性能低下情報を生成する（ステップＳ２６）。
【００７３】
防水性能判定部１２は、生成した防水性能低下情報を通知部１３に送る（ステップＳ２７）。
【００７４】
以上説明したように、本実施の形態１の携帯装置１は、携帯装置１の内部の気圧を用いた携帯装置１の防水性能の低下の有無の判定、および気密性に関する部材の経年劣化の有無の判定を行う。そして、携帯装置１のユーザに携帯装置１の防水性能の低下の有無に加え、携帯装置１の防水性能の低下の原因も通知する。その結果、携帯装置１のユーザに携帯装置１の防水性能を改善させるための適切なアクションをとるよう促すことが可能となる。
【００７５】
（実施の形態２）
図８は、本発明の実施の形態２に係る携帯装置の構成例を示すブロック図である。図８の携帯装置１は、防水性能判定部１２、通知部１３、経年劣化判定部１４、履歴記憶部１５および部材検出センサ１８を備える。通知部１３、経年劣化判定部１４および履歴記憶部１５は、図１の構成と同じである。
【００７６】
部材検出センサ１８は、気密性に関する部材が携帯装置１に隙間無く装着されているか否かを検出する。検出手段として、例えば、端子部分、気密性に関する部材または携帯装置１に設けられる圧力センサ、スイッチ、メカニカルスイッチ、抵抗膜、などがあげられる。
【００７７】
本実施の形態においては、防水性能情報検出手段として部材検出センサ１８を用い、気密性を表す物理量を含む防水性能に関する情報として、例えば、圧力センサにより検出される圧力、または、スイッチ、メカニカルスイッチまたは抵抗膜により検出される電気的特性などを測定する。
【００７８】
防水性能判定部１２は、部材検出センサ１８が検出した検出結果に基づき防水性能の低下の有無を判定し、防水性能低下情報を生成するための判定式を保持する。
【００７９】
部材検出センサ１８は、気密性に関する部材が携帯装置１に隙間無く装着されているか否かを検出する。気密性に関する部材が携帯装置１に隙間無く装着されていない場合には、その隙間から水が入り込む可能性があるため、携帯装置１の防水性能は低下していると判定することができる。防水性能判定部１２は、気密性に関する部材が携帯装置１に隙間無く装着されている場合には、携帯装置１の防水性能は低下していないと判定し、携帯装置１の防水性能の低下が無い旨の防水性能低下情報を生成する。
【００８０】
防水性能判定部１２は、気密性に関する部材が携帯装置１に隙間無く装着されていない場合には、携帯装置１の防水性能は低下していると判定し、携帯装置１の防水性能の低下が有る旨の防水性能低下情報を生成する。
【００８１】
防水性能判定部１２は、生成した防水性能低下情報を通知部１３に送る。
【００８２】
本実施の形態における防水性能低下判定、経年劣化判定、および防水性能通知の一連の動作は図３と同様である。本実施の形態における防水性能低下判定処理（図３ステップＳ０１）の詳細について、図９を用いて説明する。なお、本実施の形態における経年劣化判定処理（図３ステップＳ０２）の詳細は、図５と同様である。
【００８３】
図９は実施の形態２に係る防水性能低下判定の動作の一例を示すフローチャートである。部材検出センサ１８は、気密性に関する部材が携帯装置１に隙間無く装着されているか否かを検出する（ステップＳ５１）。
【００８４】
防水性能判定部１２は、部材検出センサ１８が気密性に関する部材が携帯装置１に隙間無く装着されていることを検出した場合には（ステップＳ５２：ＹＥＳ）、携帯装置１の防水性能は低下していないと判定し、携帯装置１の防水性能の低下が無い旨の防水性能低下情報を生成する（ステップＳ５３）。
【００８５】
防水性能判定部１２は、部材検出センサ１８が気密性に関する部材が携帯装置１に隙間無く装着されていないことを検出した場合には（ステップＳ５２：ＮＯ）、携帯装置１の防水性能は低下していると判定し、携帯装置１の防水性能の低下が有る旨の防水性能低下情報を生成する（ステップＳ５４）。
【００８６】
防水性能判定部１２は、生成した防水性能低下情報を通知部１３に送る（ステップＳ５５）。
【００８７】
以上説明したように、本実施の形態２の携帯装置１は、気密性に関する部材が携帯装置１に隙間無く装着されているか否かの検出による携帯装置１の防水性能の低下の有無の判定、および気密性に関する部材の経年劣化の有無の判定を行う。そして、携帯装置１のユーザに携帯装置１の防水性能の低下の有無に加え、携帯装置１の防水性能の低下の原因も通知する。その結果、携帯装置１のユーザに防水性能を改善させるための適切なアクションをとるよう促すことが可能となる。
【００８８】
特に、本実施の形態では気密性に関する部材が携帯装置１に隙間無く装着されているか否かを検出するため、例えば、部材検出センサ１８が、携帯装置１に隙間無く装着されていない気密性に関する部材の名称などの情報を、通知部１３に送るよう構成してもよい。その場合には、携帯装置１の防水性能の低下の有無だけでなく、携帯装置１に隙間無く装着されていない気密性に関する部材の名称を携帯装置１のユーザに通知することができる。その結果、携帯装置１のユーザに防水性能を改善させるためのより適切なアクションをとるよう促すことが可能となる。
【００８９】
（実施の形態３）
図１０は、本発明の実施の形態３に係る携帯装置の構成例を示すブロック図である。図１０の携帯装置１は、防水性能判定部１２、通知部１３、経年劣化判定部１４、履歴記憶部１５、操作部１６および光センサ１９を備える。通知部１３、経年劣化判定部１４および履歴記憶部１５は、図１の構成と同じである。本実施の形態においては、操作部１６は必ずしも必要ではない。
【００９０】
本実施の形態においては、防水性能情報検出手段として光センサ１９を用い、気密性を表す物理量を含む防水性能に関する情報として、携帯装置１の内部または外部の光量を測定する。
【００９１】
操作部１６は、所定の位置から変位させることにより携帯装置１を操作する構造を備える。例えば、押下される構造を備える操作部、スライドされる構造を備える操作部、回転される構造を備える操作部、ねじ込まれる構造を備える操作部などがあげられる。
【００９２】
光センサ１９は、携帯装置１の内部に設けられ、携帯装置１の内部の光量を測定する。
【００９３】
防水性能判定部１２は、光センサ１９が測定した測定結果に基づき防水性能の低下の有無を判定し、防水性能低下情報を生成するための判定式を保持する。
【００９４】
光センサ１９は、携帯装置１の内部の光量を測定する。携帯装置１の防水性能が低下しているときには、例えば、携帯装置１と気密性に関する部材との隙間から携帯装置１の外部の光が携帯装置１の内部に差し込む。そのため、携帯装置１の内部の光量が、携帯装置１の防水性能が低下しているときには、携帯装置１の防水性能が低下していないときに比べて、大きくなる。その結果、携帯装置１の内部の光量が所定の値より大きいときには、携帯装置１の防水性能が低下していると判定することができる。
【００９５】
上述の例において、予め設定された光量の所定の範囲とは、予め設定された所定の値以下であることをいう。防水性能判定部１２は、光センサ１９が測定した携帯装置１の内部の光量が、予め設定された光量の所定の値以下である場合には、携帯装置１の防水性能は低下していないと判定し、携帯装置１の防水性能の低下が無い旨の防水性能低下情報を生成する。
【００９６】
防水性能判定部１２は、光センサ１９が測定した携帯装置１の内部の光量が、予め設定された光量の所定の値より大きい場合には、携帯装置１の内部の光量が、予め設定された光量の所定の範囲を逸脱しているため、携帯装置１の防水性能は低下していると判定し、携帯装置１の防水性能の低下が有る旨の防水性能低下情報を生成する。
【００９７】
防水性能判定部１２は、生成した防水性能低下情報を通知部１３に送る。
【００９８】
また、防水性能判定部１２は、光センサ１９が測定した携帯装置１の内部の光量の差分に基づき防水性能の低下の有無を判定するよう構成してもよい。具体的には、操作部１６が所定の位置から変位しているときおよび変位していないときの携帯装置１の内部の光量を光センサ１９が測定する。
【００９９】
携帯装置１の防水性能が低下しているときには、例えば、操作部１６を押下したときに携帯装置１の一部に隙間ができることにより、携帯装置１の外部から携帯装置１の内部に光が差し込む。そのため、携帯装置１の内部の光量が、携帯装置１の防水性能が低下しているときには、携帯装置１の防水性能が低下していないときに比べて、大きくなる。
【０１００】
すなわち、操作部１６が所定の位置から変位しているときおよび変位していないときの携帯装置１の内部の光量の差分が、防水性能が低下しているときには、防水性能が低下していないときに比べ、大きくなる。その結果、操作部１６が所定の位置から変位しているときおよび変位していないときの携帯装置１の内部の光量の差分が所定の値より大きいときには、携帯装置１の防水性能が低下していると判定することができる。
【０１０１】
防水性能判定部１２は、光センサ１９が測定した操作部１６が所定の位置から変位しているときおよび変位していないときの携帯装置１の内部の光量の差分を算出する。
【０１０２】
上述の例において、予め設定された光量変化量の所定の範囲とは、予め設定された所定の値以下であることをいう。防水性能判定部１２は、操作部１６が所定の位置から変位しているときおよび変位していないときの携帯装置１の内部の光量の差分が、予め設定された光量変化量の所定の値以下である場合には、携帯装置１の防水性能は低下していないと判定し、携帯装置１の防水性能の低下が無い旨の防水性能低下情報を生成する。
【０１０３】
防水性能判定部１２は、操作部１６が所定の位置から変位しているときおよび変位していないときの携帯装置１の内部の光量の差分が、予め設定された光量変化量の所定の値より大きい場合には、操作部１６が所定の位置から変位しているときおよび変位していないときの携帯装置１の内部の光量の差分が、予め設定された光量の所定の範囲を逸脱しているため、携帯装置１の防水性能は低下していると判定し、携帯装置１の防水性能の低下が有る旨の防水性能低下情報を生成する。
【０１０４】
防水性能判定部１２は、生成した防水性能低下情報を通知部１３に送る。
【０１０５】
図１１は、実施の形態３に係る携帯装置の異なる構成例を示すブロック図である。図１１の携帯装置１は、防水性能判定部１２、通知部１３、経年劣化判定部１４、履歴記憶部１５、光センサ１９および光源２０を備える。通知部１３、経年劣化判定部１４および履歴記憶部１５は、図１の構成と同じである。
【０１０６】
光センサ１９は、携帯装置１の外部に設けられ、携帯装置１の外部の光量を測定する。
【０１０７】
光源２０は、携帯装置１の内部に設けられる。
【０１０８】
防水性能判定部１２は、光源２０が発光しているか否かを検出する。光センサ１９は、光源２０が発光しているときおよび発光していないときの携帯装置１の外部の光量を測定する。
【０１０９】
携帯装置１の防水性能が低下しているときには、例えば、携帯装置１と気密性に関する部材との隙間から携帯装置１の内部の光源から発せられる光が携帯装置１の外部へ漏れ出る。携帯装置１の内部の光源から発せられる光の量だけ、携帯装置１の外部の光量は大きくなる。そこで、携帯装置１の外部の明るさによらず、携帯装置１の内部の光源から発せられる光を測定するため、光源２０が発光しているときおよび発光していないときの携帯装置１の外部の光量を測定し、光源２０が発光しているときおよび発光していないときの携帯装置１の外部の光量の差分を算出する。
【０１１０】
すなわち、光源２０が発光しているときおよび発光していないときの携帯装置１の外部の光量の差分が、携帯装置１の防水性能が低下しているときには、携帯装置１の防水性能が低下していないときに比べ、大きくなる。その結果、光源２０が発光しているときおよび発光していないときの携帯装置１の外部の光量が所定の値より大きいときには、携帯装置１の防水性能が低下していると判定することができる。
【０１１１】
防水性能判定部１２は、光センサ１９が測定した光源２０が発光しているときおよび発光していないときの光量の差分を算出する。
【０１１２】
上述の例において、予め設定された光量変化量の所定の範囲とは、予め設定された所定の値以下であることをいう。防水性能判定部１２は、光源２０が発光しているときおよび発光していないときの光量の差分が、予め設定された光量変化量の所定の値以下である場合には、携帯装置１の防水性能は低下していないと判定し、携帯装置１の防水性能の低下が無い旨の防水性能低下情報を生成する。
【０１１３】
防水性能判定部１２は、光源２０が発光しているときおよび発光していないときの携帯装置１の外部の光量の差分が、予め設定された光量変化量の所定の値より大きい場合には、光源２０が発光しているときおよび発光していないときの携帯装置１の外部の光量の差分が、予め設定された光量変化量の所定の範囲を逸脱しているため、携帯装置１の防水性能は低下していると判定し、携帯装置１の防水性能の低下が有る旨の防水性能低下情報を生成する。
【０１１４】
防水性能判定部１２は、生成した防水性能低下情報を通知部１３に送る。
【０１１５】
本実施の形態における防水性能低下判定、経年劣化判定、および防水性能通知の一連の動作は図３と同様である。本実施の形態における防水性能低下判定処理（図３ステップＳ０１）の詳細について、図１２を用いて説明する。なお、本実施の形態実施の形態における経年劣化判定処理（図３ステップＳ０２）の詳細は、図５と同様である。
【０１１６】
図１２は、実施の形態３に係る防水性能低下判定の動作の一例を示すフローチャートである。図１２は図１０の携帯装置１の構成例に対応している。光センサ１９は、携帯装置１の内部の光量を測定する（ステップＳ６１）。
【０１１７】
防水性能判定部１２は、ステップＳ６１において光センサ１９が測定した測定結果が、予め設定された光量の所定の値以下である場合には（ステップＳ６２：ＹＥＳ）、携帯装置１の防水性能は低下していないと判定し、携帯装置１の防水性能の低下が無い旨の防水性能低下情報を生成する（ステップＳ６３）。
【０１１８】
防水性能判定部１２は、ステップＳ６１において光センサ１９が測定した測定結果が、予め設定された光量の所定の値より大きい場合には（ステップＳ６２：ＮＯ）、携帯装置１の防水性能は低下していると判定し、携帯装置１の防水性能の低下が有る旨の防水性能低下情報を生成する（ステップＳ６４）。
【０１１９】
防水性能判定部１２は、生成した防水性能低下情報を通知部１３に送る（ステップＳ６５）。
【０１２０】
図１３は、実施の形態３に係る防水性能低下判定の動作の他の一例を示すフローチャートである。図１３は図１２の変形例であり、防水性能低下判定処理（図３ステップＳ０１）の詳細である。図１３は図１０の携帯装置１の構成例に対応している。操作部１６は、操作部１６が所定の位置から変位しているか否かを検出する（ステップＳ７１）。光センサ１９は、携帯装置１の内部の光量を測定する（ステップＳ７２）。
【０１２１】
防水性能判定部１２は、操作部１６が所定の位置から変位しているときおよび変位していないときの携帯装置１の内部の光量が測定された場合には（ステップＳ７３：ＹＥＳ）、操作部１６が所定の位置から変位しているときおよび変位していないときの携帯装置１の内部の光量の差分を算出する（ステップＳ７４）。操作部１６が所定の位置から変位しているときおよび変位していないときの携帯装置１の内部の光量が測定されていない場合には（ステップＳ７３：ＮＯ）、ステップＳ７１に戻って、操作部１６が所定の位置から変位しているか否かの検出から繰り返す。
【０１２２】
防水性能判定部１２は、ステップＳ７４において算出した差分が、予め設定された光量変化量の所定の値以下である場合には（ステップＳ７５：ＹＥＳ）、携帯装置１の防水性能は低下していないと判定し、携帯装置１の防水性能の低下が無い旨の防水性能低下情報を生成する（ステップＳ７６）。
【０１２３】
防水性能判定部１２は、ステップＳ７４において算出した差分が、予め設定された光量変化量の所定の値より大きい場合には（ステップＳ７５：ＮＯ）、携帯装置１の防水性能は低下していると判定し、携帯装置１の防水性能の低下が有る旨の防水性能低下情報を生成する（ステップＳ７７）。
【０１２４】
防水性能判定部１２は、生成した防水性能低下情報を通知部１３に送る（ステップＳ７８）。
【０１２５】
図１４は、実施の形態３に係る防水性能低下判定の動作の他の一例を示すフローチャートである。図１４は図１２の変形例であり、防水性能低下判定処理（図３ステップＳ０１）の詳細である。図１４は図１１の携帯装置１の構成例に対応している。防水性能判定部１２は、光源２０が発光しているか否かを検出する（ステップＳ８１）。光センサ１９は、携帯装置１の外部の光量を測定する（ステップＳ８２）。
【０１２６】
防水性能判定部１２は、光源２０が発光しているときおよび発光していないときの携帯装置１の外部の光量が測定された場合には（ステップＳ８３：ＹＥＳ）、光源２０が発光しているときおよび発光していないときの携帯装置１の外部の光量の差分を算出する（ステップＳ８４）。光源２０が発光しているときおよび発光していないときの携帯装置１の外部の光量が測定されていない場合には（ステップＳ８３：ＮＯ）、ステップＳ８１に戻って、光源２０が発光しているか否かの検出から繰り返す。
【０１２７】
防水性能判定部１２は、ステップＳ８４において算出した差分が、予め設定された光量変化量の所定の値以下である場合には（ステップＳ８５：ＹＥＳ）、携帯装置１の防水性能は低下していないと判定し、携帯装置１の防水性能の低下が無い旨の防水性能低下情報を生成する（ステップＳ８６）。
【０１２８】
防水性能判定部１２は、ステップＳ８４において算出した差分が、予め設定された光量変化量の所定の値より大きい場合には（ステップＳ８５：ＮＯ）、携帯装置１の防水性能は低下していると判定し、携帯装置１の防水性能の低下が有る旨の防水性能低下情報を生成する（ステップＳ８７）。
【０１２９】
防水性能判定部１２は、生成した防水性能低下情報を通知部１３に送る（ステップＳ８８）。
【０１３０】
以上説明したように、本実施の形態３の携帯装置１は、携帯装置内部または外部の光量を用いた携帯装置１の防水性能の低下の有無の判定、および気密性に関する部材の経年劣化の有無の判定を行う。そして、携帯装置１のユーザに携帯装置１の防水性能の低下の有無に加え、携帯装置１の防水性能の低下の原因も通知する。その結果、携帯装置１のユーザに防水性能を改善させるための適切なアクションをとるよう促すことが可能となる。
【０１３１】
本発明の実施の形態は上述の実施の形態に限られず、上述の実施の形態のうち複数の形態を任意に組み合わせたもので構成してもよい。
【０１３２】
気密性を表す物理量を含む防水性能に関する情報として、上述の実施の形態１では、気圧センサにより測定される気圧を用いた。上述の実施の形態２では、圧力センサにより測定される圧力またはスイッチ、メカニカルスイッチまたは抵抗膜により測定される電気的特性を用いた。上述の実施の形態３では、光センサにより測定される光を用いた。これらに加え、気密性を表す物理量を含む防水性能に関する情報として、電波、音波、温度などが考えられる。
【０１３３】
電波および音波については、例えば、携帯装置１の一部に隙間がある場合には、その隙間から携帯装置１の内部から発せられる電波または音波が、携帯装置１の外部に漏れ出る。そこで、携帯装置１の内部から発せられる電波または音波と、携帯装置１の内部おいて測定する電波または音波の反射波との差分である損失量を求める。
【０１３４】
携帯装置１の内部から発せられる電波または音波、および携帯装置１の内部において測定する電波または音波の反射波から求められる損失量は、携帯装置１の防水性能が低下しているときには、携帯装置１の防水性能が低下していないときに比べ、大きくなる。すなわち、携帯装置１の内部から発せられる電波または音波、および携帯装置１の内部において測定する電波または音波の反射波から求められる損失量が、所定の値より大きい場合には、携帯装置１の防水性能が低下していると判定することができる。
【０１３５】
温度については、例えば、気密性に関する部材が温度が低くなるにつれて収縮する性質を有している場合には、携帯装置１の外部の気温が低くなるにつれて気密性に関する部材が収縮し、携帯装置１と気密性に関する部材との間に隙間が生じる。すなわち、携帯装置１の外部に設けられた温度センサが測定した携帯装置１の外部の気温が所定の値より小さい場合には、携帯装置１の防水性能が低下していると判定することができる。
【０１３６】
図１５は、本発明の実施の形態に係る携帯装置の物理的な構成例を示すブロック図である。携帯装置１は、図１５に示すように、制御部３１、主記憶部３２、外部記憶部３３、操作部１６、表示部３４、入出力部３５、気圧センサ１１、設置状態検出センサ１７、部材検出センサ１８、光センサ１９および光源２０を備える。主記憶部３２、外部記憶部３３、操作部１６、表示部３４および入出力部３５はいずれも内部バス３０を介して制御部３１に接続されている。
【０１３７】
制御部３１はＣＰＵ（Central Processing Unit）などから構成され、外部記憶部３３に記憶されている制御プログラム３６に従って、携帯装置１の防水性能の低下の有無の判定および気密性に関する部材の経年劣化の有無の判定のための処理を実行する。
【０１３８】
主記憶部３２はＲＡＭ（Random-Access Memory）などから構成され、外部記憶部３３に記憶されている制御プログラム３６をロードし、制御部３１の作業領域として用いられる。
【０１３９】
外部記憶部３３は、フラッシュメモリ、ハードディスク、ＤＶＤ−ＲＡＭ（Digital Versatile Disc Random-Access Memory）、ＤＶＤ−ＲＷ（Digital Versatile Disc ReWritable）などの不揮発性メモリから構成され、上述の処理を制御部３１に行わせるための制御プログラム３６を予め記憶し、また、制御部３１の指示に従って、この制御プログラム３６が記憶するデータを制御部３１に供給し、制御部３１から供給されたデータを記憶する。
【０１４０】
表示部３４は、ＬＣＤ（Liquid Crystal Display）または有機ＥＬ（Electro-Luminescence）ディスプレイ、スピーカーおよび振動部などから構成され、携帯装置１の防水性能の低下の有無および気密性に関する部材の経年劣化の有無に基づく防水性能通知情報を出力する。
【０１４１】
入出力部３５は、シリアルインタフェースまたはパラレルインタフェースから構成されている。入出力部３５には、気圧センサ１１、設置状態検出センサ１７、部材検出センサ１８、光センサ１９および光源２０が接続されており、いずれも入出力部３５および内部バス３０を介して制御部３１に接続されている。
【０１４２】
図１、図６、図８、図１０および図１１に示す携帯装置１の防水性能判定部１２、通知部１３、経年劣化判定部１４および履歴記憶部１５の処理は、制御プログラム３６が、制御部３１、主記憶部３２、外部記憶部３３、操作部１６、表示部３４、入出力部３５、気圧センサ１１、設置状態検出センサ１７、部材検出センサ１８、光センサ１９および光源２０などを資源として用いて処理することによって実行する。
【０１４３】
その他、前記のハードウェア構成やフローチャートは一例であり、任意に変更および修正が可能である。
【０１４４】
制御部３１、主記憶部３２、外部記憶部３３、内部バス３０などから構成される制御処理を行う中心となる部分は、専用のシステムによらず、通常のコンピュータシステムを用いて実現可能である。たとえば、前記の動作を実行するためのコンピュータプログラムを、コンピュータが読み取り可能な記録媒体（フレキシブルディスク、ＣＤ−ＲＯＭ、ＤＶＤ−ＲＯＭなど）に格納して配布し、前記コンピュータプログラムをコンピュータにインストールすることにより、前記の処理を実行する携帯装置１を構成してもよい。また、インターネットなどの通信ネットワーク上のサーバ装置が有する記憶装置に前記コンピュータプログラムを格納しておき、通常のコンピュータシステムがダウンロードなどすることで携帯装置１を構成してもよい。
【０１４５】
また、携帯装置１の機能を、ＯＳ（オペレーティングシステム）とアプリケーションプログラムの分担、またはＯＳとアプリケーションプログラムとの協働により実現する場合などには、アプリケーションプログラム部分のみを記録媒体や記憶装置に格納してもよい。
【０１４６】
また、搬送波にコンピュータプログラムを重畳し、通信ネットワークを介して配信することも可能である。たとえば、通信ネットワーク上の掲示板(BBS：Bulletin Board System)に前記コンピュータプログラムを掲示し、ネットワークを介して前記コンピュータプログラムを配信してもよい。そして、このコンピュータプログラムを起動し、ＯＳの制御下で、他のアプリケーションプログラムと同様に実行することにより、前記の処理を実行できるように構成してもよい。
【０１４７】
上記の実施形態の一部または全部は、以下の付記のようにも記載されうるが、以下には限られない。
【０１４８】
（付記１）
携帯装置の気密性を表す物理量を含む防水性能に関する情報を検出する防水性能情報検出手段と、
前記防水性能情報検出手段において検出した前記携帯装置の防水性能に関する情報に基づき所定の判定基準で、前記携帯装置の防水性能の低下の有無を判定する防水性能低下判定手段と、
前記携帯装置の使用に関する情報を取得し、前記使用に関する情報を履歴として記憶する記憶手段と、
前記履歴に基づき所定の判定基準で、気密性に関する部材の経年劣化の有無を判定する経年劣化判定手段と、
前記防水性能低下判定手段において判定した前記携帯装置の防水性能の低下の有無、および前記経年劣化判定手段において判定した前記気密性に関する部材の経年劣化の有無に基づく防水性能通知情報を前記携帯装置のユーザに通知する通知手段と、
を備えることを特徴とする携帯装置。
【０１４９】
（付記２）  
前記携帯装置の内部方向に押下される操作部をさらに備え、
前記防水性能情報検出手段は、前記携帯装置内部に設けられた気圧センサを含み、前記操作部が押下されているときの前記携帯装置内部の気圧および前記操作部が押下されていないときの前記携帯装置内部の気圧を検出し、
前記防水性能低下判定手段は、前記防水性能情報検出手段において検出した前記操作部が押下されているときの前記携帯装置内部の気圧および前記操作部が押下されていないときの前記携帯装置内部の気圧の差分を算出し、前記差分が、予め設定された気圧変化量の所定の範囲を逸脱している場合には、前記携帯装置の防水性能が低下していると判定する、
ことを特徴とする付記１に記載の携帯装置。
【０１５０】
（付記３）
前記携帯装置が充電機器に設置されていることを検出する充電機器設置状態検出手段をさらに備え、
前記防水性能情報検出手段は、前記携帯装置内部に設けられた気圧センサを含み、前記携帯装置が充電機器に設置されているときの前記携帯装置内部の気圧を検出し、
前記防水性能低下判定手段は、前記防水性能情報検出手段において検出した前記携帯装置が充電機器に設置されているときの前記携帯装置内部の気圧が、予め設定された気圧の所定の範囲を逸脱している場合には、前記携帯装置の防水性能が低下していると判定する、
ことを特徴とする付記１または２に記載の携帯装置。
【０１５１】
（付記４）
前記防水性能情報検出手段は、気密性に関する部材が前記携帯装置に隙間無く装着されているか否かを検出する手段を含み、
前記防水性能低下判定手段は、前記防水性能情報検出手段において前記気密性に関する部材が前記携帯装置に隙間無く装着されていないことを検出した場合には、前記携帯装置の防水性能が低下していると判定する、
ことを特徴とする付記１ないし３のいずれかに記載の携帯装置。
【０１５２】
（付記５）
前記防水性能情報検出手段は、前記携帯装置内部に設けられた光センサを含み、前記携帯装置内部の光量を検出し、
前記防水性能低下判定手段は、前記防水性能情報検出手段において検出した前記携帯装置内部の光量が、予め設定された光量の所定の範囲を逸脱している場合には、前記携帯装置の防水性能が低下していると判定する、
ことを特徴とする付記１ないし４のいずれかに記載の携帯装置。
【０１５３】
（付記６）
所定の位置から変位させることにより操作を行う変位操作部を備え、
前記防水性能情報検出手段は、前記携帯装置内部に設けられた光センサを含み、前記変位操作部が変位しているときの前記携帯装置内部の光量および前記変位操作部が変位していないときの前記携帯装置内部の光量を検出し、
前記防水性能低下判定手段は、前記防水性能情報検出手段において検出した前記変位操作部が変位しているときの前記携帯装置内部の光量および前記変位操作部が変位していないときの前記携帯装置内部の光量の差分を算出し、前記差分が、予め設定された光量変化量の所定の範囲を逸脱している場合には、前記携帯装置の防水性能が低下していると判定する、
ことを特徴とする付記１ないし５のいずれかに記載の携帯装置。
【０１５４】
（付記７）
前記携帯装置内部に光源をさらに備え、
前記防水性能情報検出手段は、前記携帯装置外部に設けられた光センサを含み、前記光源が発光しているときの前記携帯装置外部における前記光源からの光量および前記光源が発光していないときの前記携帯装置外部における前記光源からの光量を検出し、
前記防水性能低下判定手段は、前記防水性能情報検出手段において検出した前記光源が発光しているときの前記携帯装置外部における前記光源からの光量および前記光源が発光していないときの前記携帯装置外部における前記光源からの光量の差分を算出し、前記差分が、予め設定された光量変化量の所定の範囲を逸脱している場合には、前記携帯装置の防水性能が低下していると判定する、
ことを特徴とする付記１ないし６のいずれかに記載の携帯装置。
【０１５５】
（付記８）
携帯装置が行う防水性能通知方法であって、
前記携帯装置の気密性を表す物理量を含む防水性能に関する情報を検出する防水性能情報検出ステップと、
前記防水性能情報検出ステップにおいて検出した前記携帯装置の防水性能に関する情報に基づき所定の判定基準で、前記携帯装置の防水性能の低下の有無を判定する防水性能低下判定ステップと、
前記携帯装置の使用に関する情報を取得し、前記使用に関する情報を履歴として記憶する記憶ステップと、
前記履歴に基づき所定の判定基準で、気密性に関する部材の経年劣化の有無を判定する経年劣化判定ステップと、
前記防水性能低下判定ステップにおいて判定した前記携帯装置の防水性能の低下の有無、および前記経年劣化判定ステップにおいて判定した前記気密性に関する部材の経年劣化の有無に基づく防水性能通知情報を前記携帯装置のユーザに通知する通知ステップと、
を備えることを特徴とする防水性能通知方法。
【０１５６】
（付記９）
前記防水性能情報検出ステップは、前記携帯装置内部に設けられた気圧センサによって、前記携帯装置の内部方向に押下される操作部が押下されているときの前記携帯装置内部の気圧および前記操作部が押下されていないときの前記携帯装置内部の気圧を検出し、
前記防水性能低下判定ステップは、前記防水性能情報検出ステップにおいて検出した前記操作部が押下されているときの前記携帯装置内部の気圧および前記操作部が押下されていないときの前記携帯装置内部の気圧の差分を算出し、前記差分が、予め設定された気圧変化量の所定の範囲を逸脱している場合には、前記携帯装置の防水性能が低下していると判定する、
ことを特徴とする付記８に記載の防水性能通知方法。
【０１５７】
（付記１０）  
前記携帯装置が充電機器に設置されていることを検出する充電機器設置状態検出ステップをさらに備え、
前記防水性能情報検出ステップは、前記携帯装置内部に設けられた気圧センサによって、前記携帯装置が充電機器に設置されているときの前記携帯装置内部の気圧を検出し、
前記防水性能低下判定ステップは、前記防水性能情報検出ステップにおいて検出した前記携帯装置が充電機器に設置されているときの前記携帯装置内部の気圧が、予め設定された気圧の所定の範囲を逸脱している場合には、前記携帯装置の防水性能が低下していると判定する、
ことを特徴とする付記８または９に記載の防水性能通知方法。
【０１５８】
（付記１１）
前記防水性能情報検出ステップは、気密性に関する部材が前記携帯装置に隙間無く装着されているか否かを検出し、
前記防水性能低下判定ステップは、前記防水性能情報検出ステップにおいて、前記気密性に関する部材が前記携帯装置に隙間無く装着されていないことを検出した場合には、前記携帯装置の防水性能が低下していると判定する、
ことを特徴とする付記８ないし１０のいずれかに記載の防水性能通知方法。
【０１５９】
（付記１２）
前記防水性能情報検出ステップは、前記携帯装置内部に設けられた光センサによって、前記携帯装置内部の光量を検出し、
前記防水性能低下判定ステップは、前記防水性能情報検出ステップにおいて検出した前記携帯装置内部の光量が、予め設定された光量の所定の範囲を逸脱している場合には、前記携帯装置の防水性能が低下していると判定する、
ことを特徴とする付記８ないし１１のいずれかに記載の防水性能通知方法。
【０１６０】
（付記１３）
前記防水性能情報検出ステップは、前記携帯装置内部に設けられた光センサによって、所定の位置から変位させることにより前記携帯装置の操作を行う変位操作部が変位しているときの前記携帯装置内部の光量および前記変位操作部が変位していないときの前記携帯装置内部の光量を検出し、
前記防水性能低下判定ステップは、前記防水性能情報検出ステップにおいて検出した前記変位操作部が変位しているときの前記携帯装置内部の光量および前記変位操作部が変位していないときの前記携帯装置内部の光量の差分を算出し、前記差分が、予め設定された光量変化量の所定の範囲を逸脱している場合には、前記携帯装置の防水性能が低下していると判定する、
ことを特徴とする付記８ないし１２のいずれかに記載の防水性能通知方法。
【０１６１】
（付記１４）
前記携帯装置内部に設けられた光源を発光させるステップをさらに備え、
前記防水性能情報検出ステップは、前記携帯装置外部に設けられた光センサによって、前記光源が発光しているときの前記携帯装置外部における前記光源からの光量および前記光源が発光していないときの前記携帯装置外部における前記光源からの光量を検出し、
前記防水性能低下判定ステップは、前記防水性能情報検出ステップにおいて検出した前記光源が発光しているときの前記携帯装置外部における前記光源からの光量および前記光源が発光していないときの前記携帯装置外部における前記光源からの光量の差分を算出し、前記差分が、予め設定された光量変化量の所定の範囲を逸脱している場合には、前記携帯装置の防水性能が低下していると判定する、
ことを特徴とする付記８ないし１３のいずれかに記載の防水性能通知方法。
【０１６２】
（付記１５）
コンピュータに、
携帯装置の気密性を表す物理量を含む防水性能に関する情報を検出する防水性能情報検出ステップと、
前記防水性能情報検出ステップにおいて検出した前記携帯装置の防水性能に関する情報に基づき所定の判定基準で、前記携帯装置の防水性能の低下の有無を判定する防水性能低下判定ステップと、
前記携帯装置の使用に関する情報を取得し、前記使用に関する情報を履歴として記憶する記憶ステップと、
前記履歴に基づき所定の判定基準で、気密性に関する部材の経年劣化の有無を判定する経年劣化判定ステップと、
前記防水性能低下判定ステップにおいて判定した前記携帯装置の防水性能の低下の有無、および前記経年劣化判定ステップにおいて判定した前記気密性に関する部材の経年劣化の有無に基づく防水性能通知情報を前記携帯装置のユーザに通知する通知ステップと、
を実行させることを特徴とするプログラム。
【符号の説明】
【０１６３】
１  携帯装置
１１  気圧センサ
１２  防水性能判定部
１３  通知部
１４  経年劣化判定部
１５  履歴記憶部
１６  操作部
１７  設置状態検出センサ
１８  部材検出センサ
１９  光センサ
２０  光源
３０  内部バス
３１  制御部
３２  主記憶部
３３  外部記憶部
３４  表示部
３５  入出力部
３６  制御プログラム
【図１】
2012225715.tif 000003
【図２】
2012225715.tif 000004
【図３】
2012225715.tif 000005
【図４】
2012225715.tif 000006
【図５】
2012225715.tif 000007
【図６】
2012225715.tif 000008
【図７】
2012225715.tif 000009
【図８】
2012225715.tif 000010
【図９】
2012225715.tif 000011
【図１０】
2012225715.tif 000012
【図１１】
2012225715.tif 000013
【図１２】
2012225715.tif 000014
【図１３】
2012225715.tif 000015
【図１４】
2012225715.tif 000016
【図１５】
2012225715.tif 000017